(57)【要約】      （修正有）【課題】ケーブルのツールへの取り付け、ケーブルのツールよりの取り外しが容易であり、且つスムーズな配管の引き通しができる配管引通しツールを提供する。【解決手段】光ファイバー等のケーブルを配管に引き通すべくワイヤーでリング状に構成され、且つその中央部に固定具２を設けることで２つの小輪３、４に形成された配管引通しツール１であって、２つ小輪３、４のうち一方の小輪３を棒状に形成し、隣接する小輪３の枠に係合した複数のスリーブ６と、固定具２の近傍で前記棒状に形成した小輪３に嵌入され、且つケーブルの端部を嵌入するための嵌入体７とから構成されている。【選択図】図１
2005137185.tif 000002
【特許請求の範囲】
【請求項１】
光ファイバー等のケーブルを配管に引き通すべくワイヤーでリング状に構成され、且つその中央部に固定具を設けることで２つの小輪に形成された配管引通しツールであって、２つ小輪のうち一方の小輪を棒状に形成し、隣接する小輪の枠に係合した複数のスリーブと、固定具の近傍で前記棒状に形成した小輪に嵌入され、且つケーブルの端部を嵌入するための嵌入体とから構成されていることを特徴とする配管引通しツール。
【請求項２】
前記スリーブが棒状に形成した小輪に沿ってスライド自在に設けられている請求項１に記載の配管引通しツール。
【請求項３】
前記嵌入体が棒状に形成した小輪に沿ってスライド自在に設けられている請求項１又は２に記載の配管引通しツール。
【発明の詳細な説明】
【産業上の利用分野】
【０００１】本発明は、光ファイバー等のケーブルを配管に引き通すのに使用する配管引通しツールに関し、特に略Ｕ字状等の曲がった配管、既設収容されている配管であっても該配管に沿って軽い引張力で牽引することのできる配管引通しツールに関するものである。
【従来の技術の背景】
【０００２】従来より、光ファイバーケーブル、メタル系の引込み線等を配管に引き通す場合、金属製で棒状のツールの先端側にケーブルの先端を玉状に巻き付けて使用していた。この棒状ツールには、次のような問題点があった。第１の問題点は、ケーブルの巻き付け部分が玉状になっているために配管内、特に既設収容されている配管内（直線状でないために）では巻き付け部分がつかえてケーブルをスムーズに引き通しすることができない。第２の問題点は、略Ｕ字状等の曲がった配管の場合は、棒状ツールそのもののが曲がった配管部分を通ることができずケーブルを引き通しすることができない。第３の問題点は、光ファイバーケーブルの場合その素材（ガラス状素材）により、ツールに玉状に巻き付けることができない等のいくつもの問題点が指摘されていた。
【０００３】そこで、ワイヤーを使用したツールが考えられた。このツール２０は、１本のワイヤーを接続体２１でリング状に形成し、該リング状のワイヤーの中央部に固定式のキャップ２２を設けることで、２つの小さいリング２３、２４を形成したものであります（図３（イ））。
【０００４】上記ワイヤーを使用したツール２０を使用する場合は、一方のリング２３部分を交差させて複数の小輪を作り、それぞれの隣り合う小輪に交互にケーブル２５を挿通し、ワイヤーの先端部をキャップに挿入することで固定する（図３（ロ））。この状態で、ツール２０の他方のリング２４を引っ張ることで、ケーブル２５を配管に引き通しするものであります。このため、ツール２０とケーブル２５との連結部分が玉状にならないために、配管内でケーブル２５がつまることなく引き通しすることができ、また、ツール２０がワイヤーで構成されているために略Ｕ字状等の曲がった配管の場合の場合であってもスムーズに引き通しすることができる。さらに、ケーブル２５をツール２０に巻き付けないために光ファイバーケーブルの場合であっても安心して使用することができる。
【発明が解決しようとする課題】
【０００５】しかしながら、上記ツールは、リングを捩じながら交差させて複数の小輪を作り、それぞれの小輪を維持した状態で交互にケーブルを挿通するために、維持した小輪がワイヤーの弾性によりその状態に反発しているために、強い力で小輪を維持してケーブルを挿通しなければならないために、その挿通作業が煩雑であるとともに、ケーブルを配管内に引き通し後のケーブルをツールから取り外すの煩雑であるという大きな問題点があった。
【０００６】また、継続して使用するうちにツールに小輪を形成するような癖がつき、このためケーブルの把持する力が落ち、結果としてツールでのケーブルの引張力が落ちるという欠点があった。
【０００７】さらに、リングを捩じながら交差させて複数の小輪を作るために、小輪に挿通したケーブルに左右、又は上下に強い力が働きケーブルが略くの字、略への字状に大きく屈折するために、その部分が膨らみを持つこととなる他、ケーブルの端部近傍が痛みやすいという欠点があった。
【０００８】そこで、本発明は、ケーブルのツールへの取り付け、ケーブルのツールよりの取り外しが容易であり、且つスムーズな配管の引き通しができる配管引通しツールを提供することを課題とする。
【課題を解決するための手段】
【０００９】即ち、本発明は上記のような課題を解決するために、光ファイバー等のケーブルを配管に引き通すべくワイヤーでリング状に構成され、且つその中央部に固定具を設けることで２つの小輪に形成された配管引通しツールであって、２つ小輪のうち一方の小輪を棒状に形成し、隣接する小輪の枠に係合した複数のスリーブと、固定具の近傍で前記棒状に形成した小輪に嵌入され、且つケーブルの端部を嵌入するための嵌入体とから構成されていることである。
【００１０】また、上記スリーブが棒状に形成した小輪に沿ってスライド自在に設けられていることである。
【００１１】また、上記嵌入体が棒状に形成した小輪に沿ってスライド自在に設けられていることである。
【発明の作用、及び効果】
【００１２】次に、本発明の配管引通しツールの作用を記載する。先ず光ファイバー等のケーブルを配管に引き通す際に、先ずケーブルの一端側を複数のスリーブが設けられた棒状に形成した小輪の一端側より隣合うスリーブの上下が交互になるように挿通し、ケーブルの端部を嵌入体に嵌入することで、ワイヤーを配管引通しツールに取り付ける。
【００１３】この際、棒状に形成した小輪に設けられた複数のスリーブでケーブルを挿通する部分が予め形成されているために、ケーブルの挿通作業が容易である。また、棒状に形成した小輪に設けられた複数のスリーブ間でケーブル挿通されているためにこの部分が膨らむことなく配管引通しツールにケーブルを取り付けることができる。
【００１４】上記状態で、配管引通しツールの他方の小輪を引張ワイヤー等で引っ張ることでケーブルを配管に引き通しすることがことができる。
【００１５】また、スリーブを棒状に形成した小輪に沿ってスライドすることにより、棒状に形成した小輪の先端側とスリーブとの間、また隣り合うスリーブ間の距離を広げてケーブルを挿通した後前記各距離を狭くすることで挿通したケーブルを容易に固定することができる。このため、配管にケーブルを引き通しする際にケーブルが配管引通しツールより離反することがない。
【００１６】また、嵌入体を棒状に形成した小輪に沿ってスライドすることにより、挿通したケーブルの端部の位置の微調整を行うことができ、更なる配管引通しツールへのケーブルの取り付け作業の簡易化、また、配管引通しツールによるケーブルの把持力を向上することができる。
【００１７】このように、本発明の配管引通しツールは、ワイヤーの取り付けが容易であり、またその作業性が格段に優れているという顕著な効果を得ることができた。
【好ましい実施の態様】
【００１８】以下、本発明の好ましい一実施の態様を、図面に従って説明する。図１は、本発明の一実施例である配管引通しツールを示す概略説明正面図であり、図２は配管引通しツールの使用状態を示す概略説明斜視図であります。
【００１９】配管引通しツール１は、ワイヤーをリング状に形成し略中央部に設けられた固定具２で２つの小輪３、４に形成されたツール本体５と、一方の小輪３を棒状し隣接する小輪３の枠に係合し、該小輪３に沿ってスライドする２個のスリーブ６（６ａ、６ｂ）と、固定具２近傍で小輪３に嵌合し、小輪３に沿って固定具２とスリーブ６ａ間をスライドする嵌合体７とから構成されている。
【００２０】尚、小輪３の長さＬに応じて、スリーブ６の数を２個以上設けることも可能である。更に、スリーブ６は小輪３に一定の間隔で固定することも可能である。要は、目的に応じて自在にスリーブ６を取り付けすることができる。
【００２１】前記嵌合体７は、スリーブ６側がテーパー状に広がって形成、又はスリーブ６側が筒状に形成され、ケーブル１０の端部１１を嵌入すべく構成されている。
【００２２】次に、上記本発明の配管引通しツール１を使用する場合について説明する。
【００２３】先ず光ファイバーケーブル１０の端部１１を把持し、配管引通しツール１のスリーブ６の設けられた小輪３の端部と１つ目のスリーブ６ａとの間に挿通した後、１つ目のスリーブ６ａと２つ目のスリーブ６ｂとの間に挿通しその端部１１を嵌合体７に嵌入する。
【００２４】この際、各スリーブ６（６ａ、６ｂ）は小輪３に沿ってスライドするために、光ファイバーケーブル１０を取り付ける際は、１つ目のスリーブ６ａを小輪３の端部よりスライドして離反させて光ファイバーケーブル１０を挿通した後、１つ目のスリーブ６ａを小輪３の端部側にスライドすることで、光ファイバーケーブル１０を動かないように固定し、その後、２つ目のスリーブ６ｂを１つ目のスリーブ６ａよりスライドして離反させて光ファイバーケーブル１０を挿通した後、２つ目のスリーブ６ｂを１つ目のスリーブ６ａ側にスライドすることで、光ファイバーケーブル１０を動かないように固定する。このように、各スリーブ６と小輪３とにより、光ファイバーケーブル１０が配管引通しツール１に把持されることとなり、離脱することなく配管（図示せず）内を引く通しすることができることとなる。
【００２５】また、上記のようにケーブル１０を配管引通しツール１に取り付けるために、その取り付け部分が膨らむことなく取り付けすることができ、配管内をスムーズに移動することができる。
【００２６】その後、小輪４を引っ張り端として通線ワイヤー（図示せず）に連結して引っ張ることで、取り付けた光ファイバーケーブル１０が離脱することなく、配管内に容易に光ファイバーケーブル１０を挿通することができる。
【００２７】このように、本発明の配管引通しツール１は光ファイバーケーブル１０の取り付けが容易であり、しかもその使用が簡易であるために従来にない使用の利点がある。
【００２８】しかも、光ファイバーケーブル１０を直線状に近い状態で把持しているために、光ファイバーケーブル１０を傷つけることなく安定した状態で把持することが可能となった。
【図面の簡単な説明】
【図１】は、本発明の一実施例である配管引通しツールを示す概略説明正面図である。
【図２】は、配管引通しツールの使用状態を示す概略説明斜視図である。
【図３】（イ）は配管引通しツールの従来例を示す概略説明正面図であり、（ロ）はその使用状態の一部を示す概略説明図である。
【符号の説明】
１…配管引通しツール
【図１】
2005137185.tif 000003
【図２】
2005137185.tif 000004
【図３】
2005137185.tif 000005